(57)【要約】      （修正有）【課題】大きな荷重が加わった場合にブラケットの変形を抑制することができる緩衝器を提供することである。【解決手段】上記した目的を解決するために、本発明における解決手段は、外筒１を有する緩衝器本体と、上記外筒１に固定されるブラケット２とを備え、上記ブラケット２は、上記外筒１の外周面に当接する当接部材３と、上記当接部材３に起立して設けられる取付部材６とを有し、上記当接部材３は一以上の第一当接片４と一以上の第二当接片５からなり、上記第一当接片４と上記第二当接片５が上記外筒の周方向に並んで配置され、上記第一当接片４における反第二当接片側面と上記第二当接片５における反第一当接片側面が上記外筒１の外周面に溶接されることを特徴とする緩衝器。【選択図】図１
2015218764.tif 000002
【特許請求の範囲】
【請求項１】
外筒を有する緩衝器本体と、
上記外筒に固定されるブラケットとを備え、
上記ブラケットは、上記外筒の外周面に当接する当接部材と、
上記当接部材に起立して設けられる取付部材とを有し、
上記当接部材は一以上の第一当接片と一以上の第二当接片からなり、
上記第一当接片と上記第二当接片が上記外筒の周方向に並んで配置され、
上記第一当接片における反第二当接片側面と上記第二当接片における反第一当接片側面が上記外筒の外周面に溶接されることを特徴とする緩衝器。
【請求項２】
上記第一当接片と上記第二当接片は、上記取付部材からみて上記外筒軸方向中央で軸方向上下が線対称になることを特徴とする請求項１に記載の緩衝器。
【請求項３】
上記第一当接片は、上記外筒の周方向に沿う円弧状であり、上記取付部材の両端部にそれぞれ連結されており、
上記第二当接片は、上記外筒の周方向に沿う円弧状または上記外筒に垂直に起立する形状となっており、上記取付部材における第一当接片の間に連結されていることを特徴とする請求項１または２に記載の緩衝器。
【発明の詳細な説明】
【技術分野】
【０００１】
本発明は、緩衝器に関する。
【背景技術】
【０００２】
従来、車両に設けられた緩衝器の中には、外筒を有する緩衝器本体と、上記外筒に固定されるブラケットとを備え、ブラケットにブレーキホースを保持させたり、スタビライザを連結させたりしているものがある。
【０００３】
例えば、特許文献１に開示の緩衝器では、ブレーキホース用のブラケット２０を備えており、このブラケット２０は、図５に示すように、緩衝器本体の外筒２１周方向外周の形状に沿うように形成されたダンパ取付面２２と、このダンパ取付面２２から垂直に起立するホース固定面２３からなり、Ｌ字状の形状となっている。
【０００４】
上記したホース固定面２３にはブレーキホースを通すホース固定穴２４が設けられており、このホース固定面２３でブレーキホースを支えるようになっている。
【０００５】
また、ダンパ取付面２２は、ホース固定面２３の一端から延びていて、先端がコ字状に切り欠かれて切欠き部２５を備えている。
【０００６】
そして、このブラケット２０は、緩衝器本体における外筒２１の外面に切欠き部２５の底部を溶接することで、緩衝器本体に固定される。
【先行技術文献】
【特許文献】
【０００７】
【特許文献１】特開２０００−２８３２０６号公報
【発明の概要】
【発明が解決しようとする課題】
【０００８】
上記のようにして緩衝器本体に固定されるブラケットをスタビライザを連結するために使用する場合、当該ブラケットがブレーキホースを支えるために使用される場合と比較して、ブラケットに大きな荷重がかかることになる。
【０００９】
現状、上記ブラケットをスタビライザを連結する用途で使用する場合上記ブラケットの固定の仕方でも問題がないが、緩衝器が搭載される車両の仕向地や車種によっては、ブラケットにさらに大きな荷重がかかることが想定される場合があり、上記固定方法を採用したのでは、ブラケットが変形する可能性がある。
【００１０】
つまり、従来のブラケット２０においては、上記したように、ダンパ取付面２２の先端に設けた切欠き部２５を溶接して緩衝器本体に固定されており、外筒２１に溶接する場所が外筒２１の周方向に対して一方側からのみであることにより、想定されている荷重より大きな荷重が上記ブラケット２０に掛かった場合にブラケット２０のダンパ取付面２３が外筒２１の外周からはがれるように変形してしまう可能性がある。
【００１１】
そこで、本発明は、上記不具合を改善するために創案されたものであって、その目的とするところは、大きな荷重に対してもブラケットの変形を抑制することができる緩衝器を提供することである。
【課題を解決するための手段】
【００１２】
上記した目的を解決するために、本発明における課題解決手段は外筒を有する緩衝器本体と、上記外筒に固定されるブラケットとを備え、上記ブラケットは、上記外筒の外周面に当接する当接部材と、上記当接部材に起立して設けられる取付部材とを有し、上記当接部材は一以上の第一当接片と一以上の第二当接片からなり、上記第一当接片と上記第二当接片が上記外筒の周方向に並んで配置され、上記第一当接片における反第二当接片側面と上記第二当接片における反第一当接片側面が上記外筒の外周面に溶接されることを特徴とする。
【発明の効果】
【００１３】
本発明の緩衝器は、当接部材の第一当接片及び第二当接片を緩衝器本体の外筒に外筒周方向両側から溶接し固定することでブラケットの変形を抑制することができる。
【図面の簡単な説明】
【００１４】
【図１】本実施の第一実施形態に係る緩衝器本体の外筒及びブラケットの図である。
【図２】本発明の第一実施形態に係る緩衝器本体の外筒及びブラケットの半裁断面図である。
【図３】本実施の第二実施形態に係る緩衝器本体の外筒及びブラケットの図である。
【図４】本発明の第二の実施形態に係る緩衝器本体の外筒及びブラケットの半裁断面図である。
【図５】従来の緩衝器本体の外筒及びブラケットの図である。
【図６】従来の緩衝器本体の外筒及びブラケットの半裁断面図である。
【発明を実施するための形態】
【００１５】
以下、本発明の一実施形態に係る緩衝器について、図面を参照しながら説明する。図示した部材のうちいくつかの図面を通じて同じ符号が付された部材は、同じ部材を示す。
【００１６】
本発明の一実施形態に係る緩衝器Ｓは、図１に示すように外筒１を有する緩衝器本体と、上記外筒１に固定されるブラケット２とを備え、上記ブラケット２は、上記外筒１の外周面に当接する当接部材３と、上記当接部材３に起立して設けられる取付部材６とを有し、上記当接部材３は一以上の第一当接片４と一以上の第二当接片５からなり、上記第一当接片４と上記第二当接片５が上記外筒１の周方向に並んで配置され、上記第一当接片４における反第二当接片側面と上記第二当接片５における反第一当接片側面が上記外筒１の外周面に溶接される構成となっている。
【００１７】
以下詳細に各部位について説明する。緩衝器本体は、図示しないが、外筒１と、この外筒１の内側に配置されるシリンダと、シリンダ内に摺動自在に挿入されるロッドと、ロッドに連結されると共にシリンダ内を摺動自在に移動するピストンとを備えている。シリンダ内は、上記ピストンによってロッド側室とピストン側室とに区画されていて、ロッド側室とピストン側室が液体で満たされている。さらに、シリンダと外筒との間には気体と作動油が充填されるリザーバが形成されていて、シリンダ内に出入りするロッドの体積分の作動油をリザーバから給排するようになっている。もちろん、緩衝器本体の構造はこれに限定されるものではない。
【００１８】
このように形成されている緩衝器本体の外筒１に固定されているブラケット２は、図２に示すように第一当接片４と第二当接片５から成る当接部材３が外筒１に溶接されることで固定され、この当接部材３に対して起立して設けられた取付部材６に穿った孔７を利用してスタビライザを緩衝器に連結できるようになっている。
【００１９】
取付部材６は、第一当接片４と第二当接片５に垂直に起立するように設けられている。尚、取付部材６は、第一当接片４及び第二当接片５に垂直以外の角度で起立させることもできる。
【００２０】
このように設けられる取付部材６は孔７を有しており、この孔７にスタビライザのリンク部分を通すことにより、緩衝器Ｓにスタビライザを連結する。
【００２１】
当接部材３は、取付部材６に対して外筒１の周方向の一方側に延びる第一当接片４と、他方側に延びる第二当接片５とを有しており、第一当接片４と第二当接片５は外筒周方向に並んで設けられている。
【００２２】
第一当接片４は、取付部材６に対して、第二当接片５を挟んで上下に設けられており、具体的には、取付部材６の図１中上端に設けられる上側当接片４ａと図１中下端に設けられる下側当接片４ｂとを備えている。
【００２３】
このような構成となっている上側当接片４ａと下側当接片４ｂは、外筒１の外周面に沿う円弧状であると共に、第一当接片４の上側当接片４ａと下側当接片４ｂの反第二当接片側の先端部がそれぞれ第一溶接面４ｃ，４ｄとなっており、この第一溶接面４ｃ，４ｄを溶接することでブラケット２が外筒１に固定される。
【００２４】
また、第二当接片５は、取付部材６の下端６ａであって、上記第一当接片４の上側当接片４ａと下側当接片４ｂの間、つまり、取付部材６の下端６ａの外筒軸方向中央部に設けられている。
【００２５】
このような構成となっている第二当接片５は、外筒１の外周面に沿う円弧状であると共に、第二当接片５の反第一当接片側の先端部が第二溶接面５ａとなっており、この第二溶接面５ａを溶接することでブラケット２が外筒１に固定される。
【００２６】
上記のように、ブラケット２と外筒１を固定する溶接位置としての第一溶接面４ｃ，４ｄと第二溶接面５ａが取付部材６からみて外筒周方向の両側に設けられていることで、ブラケット２の変形を抑制することができる。又、第一当接片４と第二当接片５が取付部材６からみて外筒周方向の両側に設けられることで、当接部材３の外筒１の周方向長さを確保しつつも溶接位置と取付部材６との距離を短くすることができるから、取付部材６に大きな荷重が入力されても、溶接部位に作用するモーメントを小さくでき、ブラケット２の外筒１からのはがれも抑制される。
【００２７】
さらに、溶接は圧縮に対する強度が強いことから、取付部材６に対して両サイドが溶接されていることにより、外筒１の周方向どちらの方向から力が加わっても溶接部分の一方が必ず圧縮側になるので、ブラケット２の外筒１からのはがれに強くなる。
【００２８】
加えて、この第一当接片４と第二当接片５は、この例では取付部材６からみて外筒周方向の長さが等しく、さらに外筒軸方向中央で軸方向上下が線対称になるようになるように設定されている。このようになっていることで、ブラケット２に対してどちらの方向から力が加わるかに拘りなくブラケット２の変形を抑制することができる。尚、このように線対称とならなくてもよく、線対称でなくても変形を抑制できることは当然である。
【００２９】
続いて、上記実施形態に加えて第二の実施形態について説明する。第二の実施形態では、図３に示すように当接部材９の形状が第一の実施例の形状と異なる形状となっている。
【００３０】
この第二の実施形態の当接部材９は、図４に示すように、取付部材６に対して外筒１の周方向の一方側に延びる第一当接片１０と、他方側に
設けられる第二当接片１１とを有しており、第一当接片１０と第二当接片１１は外筒周方向に並んで設けられている。
【００３１】
第一当接片１０は、取付部材６に対して、第二当接片１１を挟んで上下に設けられており、具体的には、取付部材６の図３中上端に設けられる上側当接片１０ａと図３中下端に設けられる下側当接片１０ｂとを備えている。
【００３２】
このような構成となっている上側当接片１０ａと下側当接片１０ｂは、外筒１の外周面に沿う円弧状であると共に、第一当接片１０の上側当接片１０ａと下側当接片１０ｂの反第二当接片側の先端部がそれぞれ第一溶接面１０ｃ，１０ｄとなっており、この第一溶接面１０ｃ，１０ｄを溶接することでブラケット１２が外筒１に固定される。
【００３３】
また、第二当接片１１は、取付部材６の下端６ａである上記第一当接片１０の上側当接片１０ａと下側当接片１０ｂの間、つまり、取付部材６の下端６ａの外筒軸方向中央部に設けられている。
【００３４】
このような構成となっている第二当接片１１は、図４に示すように外筒に対して垂直となるように取付部材６の下端６ａに設けられており、
第二当接片１１の外筒１の周方向長さは、取付部材６と第二当接片１１の反第一当接片側とが略直線となるように設定される。
【００３５】
この第二当接片１１の反第一当接片側の端部が第二溶接面１１ａとなっており、この第二溶接面１１ａを溶接することでブラケット１２が外筒１に固定される。
【００３６】
上記のように、ブラケット１２は、取付部材６に対して外筒周方向の両側に溶接部分である第一溶接面１０ｃ，１０ｄと第二溶接面１１ａを設けることでブラケット１２の変形を抑制することができる。
【００３７】
さらに、溶接は圧縮に対する強度が強いことから、取付部材６に対して両サイドが溶接されていることにより、外筒１の周方向のどちらの方向から力が加わっても溶接部分の一方が必ず圧縮側になるのでブラケット１２の外筒１からのはがれに強くなる。
【００３８】
さらに、第一当接片１０と第二当接片１１は、取付部材６からみて外筒軸方向中央で軸方向上下が線対称になるように設けられるので、ブラケット１２に対してどちらの方向から力が加わるかに拘りなくブラケット１２の変形を抑制することができる。尚、このように線対称とならなくてもよく、線対称でなくても変形を抑制できることは当然である。
【００３９】
以上で本発明の実施の形態についての説明を終えるが、本発明の範囲は、この範囲に限定されるものではない。
【符号の説明】
【００４０】
１  外筒
２，１２  ブラケット
３，９  当接部材
４，１０  第一当接片
５，１１  第二当接片
６  取付部材
Ｓ  緩衝器
【図１】
2015218764.tif 000003
【図２】
2015218764.tif 000004
【図３】
2015218764.tif 000005
【図４】
2015218764.tif 000006
【図５】
2015218764.tif 000007
【図６】
2015218764.tif 000008